(57)【特許請求の範囲】
【請求項１】
柄の先端に適宜形状の刃部を設け、後端に取手を設けた除草具であって、適宜形状の刃部への柄の先端の取付位置が刃部の長さ方向の端部であり、かつ適宜形状の刃部の刃先とは反対側に、手を添えて持てるようにした丸棒状の厚肉部を形成したことを特徴とする除草具。
【請求項２】
丸棒状の厚肉部が、少なくとも５ｍｍ以上の直径に形成されていることを特徴とする請求項１記載の除草具。
【請求項３】
丸棒状の厚肉部が、中空のパイプで形成されていることを特徴とする請求項１または２記載の除草具。
【請求項４】
刃部の指の当たる部分に丸棒状の厚肉部に沿って、複数の滑り止め用横溝を形成したことを特徴とする請求項１ないし３のいずれかに記載の除草具。
【発明の詳細な説明】
【技術分野】
【０００１】
本発明は、畑の草取りの際に使用する除草具に関する。
【背景技術】
【０００２】
昔から手カンナと称されている除草具が畑の草取りに一般的に使用されている。
そのような除草具の代表的な例として実開平１−１１２６０１号公報（特許文献１参照）が挙げられる。
【特許文献１】実開平１−１１２６０１号公報
【発明の開示】
【発明が解決しようとする課題】
【０００３】
農業も進歩して、例えば、田んぼのあぜ道などは、石があっても、その中の草を、ビニールの紐を一分間に千回以上回す機械で、草は簡単に取ってしまう。また、除草剤を噴霧器で、余分な所には飛び散らないように、部品をつけて、必要な所だけに、散布するようにしている。さらに草取りの手間を省くために、マルチと称する黒いビニールを一面に敷いて、それに穴を開けてそこに苗を植えまるようにしている。
大規模な所では水耕栽培によって、水の上に網を張り、トマトやイチゴを植えて大量栽培をしている。
このような時代に、あえて、除草具(手カンナ)を発明したのは、自分もいつの間にかお年よりと呼ばれる年になり、ともすれば部屋に閉じ込もりがちになって、体の不具合いを訴えるようになり、病院通いが多くなったからである。そこで、体のためには外に出て体を動かせば良いのであるが、楽しい事でもないと長続きはしない。
そこでどこの家庭にもある、除草具(手カンナ)を見直し、もっと有効に利用してもらえるようにすれば、楽しく、かつ健康にもつながると思って発明したのが本発明である。
特に、どんな除草具(手カンナ)でも良く草は取れる。しかしながら草の成長は早く、草が生えたようだから取らなくては、と思っているとあれよあれよという間に大きくなってしまって、従来の手カンナでは、そのような草を取ることが困難になってしまう。
【０００４】
すなわち、図５のような従来の除草具２１においては、立ったまま雑草類を片手で除草具２１を使ってかじり取ろうとしても、雑草が硬く根を張っているためにじきに疲れてしまって余り能率が上がらなかった。しかも片方の手だけでかじり取るものであるため、また、手カンナのほとんどが、最初は切れ味がよくてもじきに切れなくなり、あとは力任せで草をかじり取るものであったため、手カンナを用いた除草作業は大変な作業であった。
もちろん、刃部２２の刃先の反対側は刃部２２の肉厚そのものであって薄いため、もう片方の手を添えて持つことなど考えられなかった。
そこで本発明は上記した実状に鑑みなされたもので、適宜形状の刃部の刃先とは反対側の辺に手を添えて持てるようにした丸棒状の厚肉部を形成し、利き手だけでなくもう片方の手を刃先と反対側の厚肉部に添えて、両手で草を削り取ることができるようにすることにより、長期間の利用にも充分に耐え得る除草具の提供を目的とするものである。
【課題を解決するための手段】
【０００５】
すなわち本発明の除草具は、柄の先端に適宜形状の刃部を設け、後端に取手を設けた除草具であって、適宜形状の刃部への柄の先端の取付位置が刃部の長さ方向の端部であり、かつ適宜形状の刃部の刃先とは反対側に、手を添えて持てるようにした丸棒状の厚肉部を形成したことを特徴とするものである。
【０００６】
本発明の除草具は、前記丸棒状の厚肉部が、少なくとも５ｍｍ以上の直径に形成されていることを特徴とするものである。
【０００７】
本発明の除草具は、前記丸棒状の厚肉部が、中空のパイプで形成されていることを特徴とするものである。
【０００８】
本発明の除草具は、前記刃部の指の当たる部分に丸棒状の厚肉部に沿って、複数の滑り止め用横溝を形成したことを特徴とするものである。
【発明の効果】
【０００９】
本発明の除草具によれば、以下に記載する効果を奏する。
（１）利き手だけでなくもう片方の手を刃先と反対側の厚肉部に添えて、両手で草を削り取ることができるようになり、長期間の利用にも充分に耐え得る除草具が提供できる。
（２）使用に際し、先ず右手（利き手）で除草の場所に除草具を持っていき、左手で草の根元を上から押さえるようにして、左右の両手で同時に引っ張ることによって、作業に全く無駄の力を必要とせずに草むしりができるから、非常に効率良く除草できる。したがって、従来のように疲れないですみ、気持ち良く草むしりができる。
（３）すなわち、地面のヒゲを剃るような感じで草がかじり取れるので、従来とは比較にならないほど作業が楽になり、したがって草取りに対する気持ちが全く変わり、従来の草が生えてくるたびに困り果てていたものが、まったく除草を苦にすることがなくなり、楽しく草取りをすることができる。
【発明を実施するための最良の形態】
【００１０】
以下図面に基いて、本発明の除草具の実施の形態をより詳細に説明する。
図１は本発明の除草具の１実施例を示す斜視図、図２は別の角度から見た斜視図、図３（ａ），（ｂ）は丸棒状の厚肉部の例を示す要部拡大断面図、図４は使用状態を示す斜視図である。
【００１１】
図１および図２に示す、本発明の除草具の１実施例において、除草具１１は金属製の柄１２の先端にステンレス等からなる金属製の刃部１３を設け、後端に取手１４を設けたものである。そして、前記刃部１３は、刃先１３−１のほぼ中央が円弧状の膨らみを有するように形成され、その先端には側辺から突き出す突出片が形成されている。この除草具１１は、刃部１３の厚いか薄いかはあまり問題とはならないが、薄い方が軽く、自由に使いこなせるので望ましい。
【００１２】
上記刃部１３への柄１２の先端の取付位置は、刃部１３の長さ方向の端部であることが必要である。すなわち、刃部１３の長さ方向の端部の刃先１３−１とは反対側に取り付けてある。そしてこの図１の実施例では刃部１３に直交するよう取り付けてある。除草具１１の右手でもつ柄１２の刃部１３となす角度は９０°あるいは１００°の２種類を用意することが望ましい。
柄１２の後端に取り付けた取手１４は片手で握ることができる長さがあればよく、また柄１２へ取り付ける位置としては、除草具１１を両手で扱う関係で、従来のものより刃部１３に近付けるほうが望ましい。
【００１３】
前記刃部１３には、その刃先１３−１と反対側の縁に沿って、手を添えて持てるようにした丸棒状の厚肉部１５が形成してある。この丸棒状の厚肉部１５は手で持ちやすくするようにほぼ直線状とすることが望ましい。
そして、前記丸棒状の厚肉部１５は、少なくとも５ｍｍ以上の厚さに形成されていることが望ましい。５ｍｍ未満の場合は長時間手で持っていると、手が痛くなってしまうためである。もちろん、丸棒状の厚肉部１５は直径が５ｍｍ以上であればよいのであるが、余り直径を大きくすることも不要である。手で持つ関係上、３ｃｍ程度が限度である。もちろん、使用者の手の大きさによってどの程度が望ましい範囲なのかは変わってくる。
【００１４】
前記刃部１３の適所には、指先の当たる部分に丸棒状の厚肉部１５に沿って、複数の滑り止め用横溝１６が形成してある。この横溝１６の位置や間隔、溝の深さ等は、使用者の手の大きさや持ちやすさ等を勘案して適宜決定することが望ましい。
【００１５】
図３は、前記丸棒状の厚肉部１５の例を示すもので、（ａ）は中実の丸棒からなる厚肉部１５を示し、（ｂ）は中空のパイプからなる厚肉部１５を示している。この例では、刃部１３の上端に中空パイプをはめ込んで厚肉部１５としており、この場合の厚肉部１５は着脱可能とすることもできる。
もちろん、丸棒状の厚肉部１５の断面形状は真円に限られるものではなく、楕円形であったり、面取りした長方形等であってもよい。
図において３１は、丸棒状の厚肉部１５の表面に形成した指の間隔に応じた凹凸であり、丸棒状の厚肉部１５を手で握った際に滑りにくくするためのものである。そのような意味からいえば、丸棒状の厚肉部１５の先端に例えば球状の膨頭部を形成しておくことが望ましい。
【００１６】
前記除草具１１の使用に際しては、図４に示すように、除草の場所において、除草具１１を右手で取手１４を握りながら、左手で丸棒状の厚肉部１５を掴んで、左右の両手で同時に引っ張ることによって草を削り取る。このようにすれば、作業に全く無駄の力を必要とせずに草むしりができる。しかも左右両手のバランスが良好で、非常に効率良く除草できる。したがって、従来のように疲れないですみ、気持ち良く草むしりができる。
この場合、前記除草具１１は、土や小石の上に生えた草をかじるようにして、草を削り取るので、除草具１１の刃はすぐに切れなくなる。このように除草具１１の刃先が丸くなって切れなくなると、従来の除草具では右手に余分な力を加えなければ、草を削り取ることはできなくなってしまう。
本発明の除草具においては、左手の力も無理なく加えることができるので、両手で草を削り取ることが可能となり、刃先が切れなくなった除草具でも簡単に草を削り取ることができるようになるのである。
【産業上の利用可能性】
【００１７】
本発明の除草具は、畑の除草に使用するだけでなく、草を削り取る必要のある用途であれば、前記の用途に何ら限定されるものではない。
【図面の簡単な説明】
【００１８】
【図１】本発明の除草具の１実施例を示す斜視図である。
【図２】別の角度から見た斜視図である。
【図３】（ａ），（ｂ）は丸棒状の厚肉部の例を示す要部拡大断面図である。
【図４】使用状態の斜視図である。
【図５】従来の除草具の斜視図である。
【符号の説明】
【００１９】
１１  除草具
１２  柄
１３  刃部
１３−１  刃先
１４  取手
１５  丸棒状の厚肉部
１６  滑り止め用横溝
【図１】
0004975567.tif 000002
【図２】
0004975567.tif 000003
【図３】
0004975567.tif 000004
【図４】
0004975567.tif 000005
【図５】
0004975567.tif 000006